(57)【特許請求の範囲】
【請求項１】
呼出スイッチ（１１）の操作によりベッド子機（１０）から呼び出されたときルームアダプタ（３）を介して代表廊下灯（１２）を白色点滅表示させ、
トイレ（Ｔ2a、Ｔ2b、Ｔ2c）が使用されたときトイレセンサ（１４）の動作によりトイレアダプタ（４）を介してトイレ廊下灯（１５）を白色点灯表示させ、トイレ呼出スイッチ（１３ａ）の操作によりトイレ子機（１３）から呼び出されたとき前記トイレアダプタを介して前記トイレ廊下灯を白色点滅表示させ、前記トイレが予め設定された長時間使用されたとき前記トイレセンサの動作により前記トイレアダプタを介して前記トイレ廊下灯を赤色点滅表示させ、徘徊送信機（２０）又はペンダント送信機（２２）が動作したときそれぞれ徘徊受信機（２１）又はペンダント受信機（２３）から徘徊・ペンダントアダプタ（５）を介して徘徊・ペンダント廊下灯（２４）を赤色点滅表示させ、これらの呼び出し、トイレ使用、送信機動作を制御機（２）を介してナースコール親機（１）に通報するナースコール装置であって、
前記代表廊下灯、トイレ廊下灯、徘徊・ペンダント廊下灯は、それぞれのアダプタにより点滅、点灯駆動され、それぞれを廊下灯表示面に直線状に均等に配列される白色ＬＥＤ（３０）および前記白色ＬＥＤに隣接して直線状に配列された赤色ＬＥＤ（３１）から成ることを特徴とするナースコール装置。
【請求項２】
呼出スイッチ（１１）の操作によりベッド子機（１０）から呼び出されたときルームアダプタ（３）を介して代表廊下灯（１２）を白色点滅表示させ、
トイレ（Ｔ2a、Ｔ2b、Ｔ2c）が使用されたときトイレセンサ（１４）の動作によりトイレアダプタ（４）を介してトイレ廊下灯（１５）を白色点灯表示させ、トイレ呼出スイッチ（１３ａ）の操作によりトイレ子機（１３）から呼び出されたとき前記トイレアダプタを介して前記トイレ廊下灯を白色点滅表示させ、前記トイレが予め設定された長時間使用されたとき前記トイレセンサの動作により前記トイレアダプタを介して前記トイレ廊下灯を赤色点滅表示させ、徘徊送信機（２０）又はペンダント送信機（２２）が動作したときそれぞれ徘徊受信機（２１）又はペンダント受信機（２３）から徘徊・ペンダントアダプタ（５）を介して徘徊・ペンダント廊下灯（２４）を赤色点滅表示させ、これらの呼び出し、トイレ使用、送信機動作を制御機（２）を介してナースコール親機（１）に通報するナースコール装置であって、
前記代表廊下灯、トイレ廊下灯、徘徊・ペンダント廊下灯は、それぞれのアダプタにより点滅、点灯駆動され、それぞれを廊下灯表示面に直線状に交互に均等に配列される白色ＬＥＤ（３０）および赤色ＬＥＤ（３１）から成ることを特徴とするナースコール装置。
【発明の詳細な説明】
【０００１】
【発明の属する技術分野】
【０００２】
本発明はナースコール装置に係わり、特に、２色表示するナースコール用廊下灯を全面発光させるナースコール装置に関する。
【従来の技術】
【０００３】
従来から、この種のナースコール装置として、図４に示すシステム構成のものが提案されている。
【０００４】
図４に示すナースコール装置は、通常、ナースセンター等に設けられるナースコール親機５１と、トイレ（以下、病室トイレと称す）Ｔ51が備えられた病室等に設けられ、被介護者がナースコール親機５１を呼び出すために複数のベッド子機６０に接続された呼出スイッチ６１が押下された際に白色点滅表示する代表廊下灯６２、および被介護者が病室トイレ内からナースコール親機５１を呼び出すために押下操作するトイレ呼出スイッチ６３ａを備えたトイレ子機６３に接続されたトイレセンサ６４が、被介護者によるトイレの使用および予め設定された長時間使用をそれぞれ検知することにより白色点灯表示および赤色点滅表示し、更に、前述のトイレ呼出スイッチ６３ａが押下された際に白色点滅表示するトイレ廊下灯６５が接続されたルームアダプタ５３と、病室外に設けられ、前述の病室トイレＴ51と同様な構成の複数のトイレＴ52a、Ｔ52b、Ｔ52cが接続されたトイレアダプタ５４と、被介護者の徘徊又はペンダントを検出することにより徘徊送信機７０又はペンダント送信機７２が動作し、徘徊受信機７１又はペンダント受信機７３を介して赤色点滅表示する徘徊・ペンダント廊下灯７４が接続された徘徊・ペンダントアダプタ５５と、上述の呼出時、トイレ使用（長時間使用）時、（徘徊・ペンダント）送信機動作時の各動作を共通線Ｌ51を介してナースコール親機５１に通報する制御機５２とを有する。
【０００５】
ルームアダプタ５３に接続される代表廊下灯６２の廊下灯表示面の上・下部は、図５（a）、図６（a）の構成図に示すように、それぞれ入力部がルームアダプタ５３の一方の白色出力端子RLW51に接続され、出力部が一方の共通アース端子RLE51に接続され、直線状に均等に配列された白色ＬＥＤ８０から成る。
【０００６】
また、ルームアダプタ５３、トイレアダプタ５４にそれぞれ接続されるトイレ廊下灯６５の廊下灯表示面の上部は、図５（b）、図６（b）の構成図に示すように、それぞれ入力部がルームアダプタ５３、トイレアダプタ５４の他方の白色出力端子TLW51、TLW52に接続され、直線状に均等に配列された白色ＬＥＤ８０から成り、廊下灯表示面の下部は、それぞれ入力部がルームアダプタ５３、トイレアダプタ５４の他方の赤色出力端子TLR51、TLR52に接続され、直線状に均等に配列された赤色ＬＥＤ８１から成る。また、ルームアダプタ５３、トイレアダプタ５４の他方の共通アース端子TLE51、TLE52に接続された白色ＬＥＤ８０の出力部および赤色ＬＥＤ８１の出力部近傍の境界部は、ＬＥＤ発光時における影の発生防止を図るために仕切板９０により間隔される。
【０００７】
更に、徘徊・ペンダントアダプタ５５に接続される徘徊・ペンダント廊下灯７４の廊下灯表示面の上・下部は、図５（c）、図６（c）の構成図に示すように、それぞれ入力部が徘徊・ペンダントアダプタ５５の一方の赤色出力端子RLR53に接続され、出力部が一方の共通アース端子RLE53に接続され、直線状に均等に配列された赤色ＬＥＤ８１から成る。
【０００８】
なお、上述のルームアダプタ５３に接続される代表廊下灯６２、トイレ廊下灯６５は、それぞれ一方の端子（白色出力端子RLW51、共通アース端子RLE51）、他方の端子（白色出力端子TLW51、赤色出力端子TLW51、共通アース端子TLE51）に接続させたが可逆接続させてもよく、トイレアダプタ５４に接続されるトイレ廊下灯６５、徘徊・ペンダントアダプタ５５に接続される徘徊・ペンダント廊下灯７４も同様に、一方の端子（白色出力端子RLW52、赤色出力端子RLR52、共通アース端子RLE52）、他方の端子（赤色出力端子TLR53、共通アース端子TLE53）にそれぞれ接続させてもよい。
【０００９】
このようなナースコール装置において、被介護者が呼出スイッチ６１を押下しナースコール親機５１を呼び出す呼出時において、ルームアダプタ５３はベッド子機６０を介して呼出スイッチ６１が押下されたことを検出し、共通線Ｌ51および制御機５２を介してナースコール親機５１に呼び出しを通報するとともに、代表廊下灯６２を点滅駆動させるために、一方の白色出力端子RLW51より断続的にHighレベルの信号を出力することから、代表廊下灯６２を成す白色ＬＥＤ８０が、廊下灯表示面上・下部においてそれぞれ点滅され全面発光する。
【００１０】
病室内の病室トイレＴ51又は病室外の複数のトイレＴ52a、Ｔ52b、Ｔ52cにおいて、被介護者がナースコール親機５１を呼び出すために、トイレ子機６３に備えられたトイレ呼出スイッチ６３ａを押下することにより、ルームアダプタ５３又はトイレアダプタ５４は、トイレ子機６３を介してトイレ呼出スイッチ６３ａが押下されたことを検出し、共通線Ｌ51および制御機５２を介してナースコール親機５１に呼び出しを通報するとともに、トイレ廊下灯６５を白色点滅駆動させるために、他方の白色出力端子TLW51又はTLW52より断続的にHighレベルの信号を出力することから、トイレ廊下灯６５を成す白色ＬＥＤ８０が、廊下灯表示面上部において点滅表示される。
【００１１】
また、被介護者が病室内外のトイレを使用する際において、トイレセンサ６４がトイレ使用を検知することにより、ルームアダプタ５３又はトイレアダプタ５４は、トイレ子機６３を介してトイレ使用を検出し、共通線Ｌ51および制御機５２を介してナースコール親機５１に被介護者によるトイレ使用を通報するとともに、トイレ廊下灯６５を白色点灯駆動させるために、他方の白色出力端子TLW51又はTLW52よりHighレベルの信号を出力することから、トイレ廊下灯６５を成す白色ＬＥＤ８０が、廊下灯表示面上部において点灯表示される。更に、前述の被介護者によるトイレ使用時間が、トイレセンサ６４により予め設定された長時間使用と検知されると、ルームアダプタ５３又はトイレアダプタ５４は、トイレ子機６３を介してトイレの長時間使用を検出し、共通線Ｌ51および制御機５２を介してナースコール親機５１に被介護者によるトイレの長時間使用の緊急事態を通報するとともに、トイレ廊下灯６５を赤色点滅駆動させるために、他方の赤色出力端子TLR51又はTLR52より断続的にHighレベルの信号を出力することから、トイレ廊下灯６５を成す赤色ＬＥＤ８１が、廊下灯表示面下部において点滅され緊急事態を表示する。
【００１２】
更に、被介護者の徘徊検出時又はペンダント検出時には、徘徊送信機７０又はペンダント送信機７２が動作することにより、徘徊・ペンダントアダプタ５５は、徘徊受信機７１又はペンダント受信機７３を介して被介護者の徘徊又はペンダントを検出し、共通線Ｌ51および制御機５２を介してナースコール親機５１に被介護者の徘徊検出又はペンダント検出の緊急事態を通報するとともに、徘徊・ペンダント廊下灯７４を赤色点滅駆動させるために、一方の赤色出力端子RLR53より断続的にHighレベルの信号を出力することから、徘徊・ペンダント廊下灯７４を成す赤色ＬＥＤ８１が、廊下灯表示面上・下部においてそれぞれ点滅され全面発光し、緊急事態を表示する。
【発明が解決しようとする課題】
【００１３】
しかしながら、従来のナースコール装置は以上のように構成されているので、特に、ルームアダプタ５３およびトイレアダプタ５４に接続されるトイレ廊下灯６５の廊下灯表示面の上・下部を構成する白色ＬＥＤ８０および赤色ＬＥＤ８１の境界部にＬＥＤ発光時の影の発生防止を図るために仕切板９０を設けて発光させたが、白色ＬＥＤ８０又は赤色ＬＥＤ８１何れかのみの発光のため、表示面が半面しか発光せず視認性が悪いといった難点があった。また、代表廊下灯６２を白１色、トイレ廊下灯６５を白赤２色、徘徊・ペンダント廊下灯７４を赤１色と３種の廊下灯を使い分ける必要があり、施工時の施工ミスおよび発注時の発注ミス、メンテナンス時の混乱等の問題が生じ易く、商品管理面においてもコストが増大する等多くの難点があった。
【００１４】
本発明は上述の難点を解消するためになされたもので、３種の廊下灯（代表廊下灯、トイレ廊下灯、徘徊・ペンダント廊下灯）を２色（白色、赤色）ＬＥＤから成る同一な構成とし、廊下灯表示面で全面発光させ視認性を向上させるとともに、施工時の施工ミスおよび発注時の発注ミス、メンテナンス時の混乱等の問題を低減させるナースコール装置を提供することを目的とする。
【課題を解決するための手段】
【００１５】
このような目的を達成するため本発明のナースコール装置は、呼出スイッチの操作によりベッド子機から呼び出されたときルームアダプタを介して代表廊下灯を白色点滅表示させ、トイレが使用されたときトイレセンサの動作によりトイレアダプタを介してトイレ廊下灯を白色点灯表示させ、トイレ呼出スイッチの操作によりトイレ子機から呼び出されたときトイレアダプタを介して廊下灯を白色点滅表示させ、トイレが予め設定された長時間使用されたときトイレセンサの動作によりトイレアダプタを介して廊下灯を赤色点滅表示させ、徘徊送信機又はペンダント送信機が動作したときそれぞれ徘徊受信機又はペンダント受信機から徘徊・ペンダントアダプタを介して徘徊・ペンダント廊下灯を赤色点滅表示させ、これらの呼び出し、トイレ使用、送信機動作を制御機を介してナースコール親機に通報するものである。
【００１６】
これらの代表廊下灯、トイレ廊下灯、徘徊・ペンダント廊下灯は、それぞれのアダプタにより点滅、点灯駆動され、それぞれを廊下灯表示面に直線状に均等に配列された白色ＬＥＤおよび白色ＬＥＤに隣接して直線状に配列された赤色ＬＥＤから成るものである。
【００１７】
また、これらの代表廊下灯、トイレ廊下灯、徘徊・ペンダント廊下灯は、それぞれのアダプタにより点滅、点灯駆動され、それぞれを廊下灯表示面に直線状に交互に均等に配列された白色ＬＥＤおよび赤色ＬＥＤから成るものである。
【００１８】
このようなナースコール装置によれば、３種の廊下灯（代表廊下灯、トイレ廊下灯、徘徊・ペンダント廊下灯）は白色ＬＥＤと赤色ＬＥＤから成る同一の構成とする。
【００１９】
病室内の呼出スイッチ押下時にはルームアダプタは代表廊下灯を白色点滅表示させる。病室内外のトイレ使用およびトイレの長時間使用がセンサにて検知されると、ルームアダプタ又はトイレアダプタはトイレ廊下灯をそれぞれ白色点灯表示、赤色点滅表示させ、トイレ呼出スイッチ押下時には白色点滅表示させる。また、被介護者の徘徊又はペンダントが検出されると徘徊送信機又はペンダント送信機が動作し、徘徊・ペンダントアダプタは徘徊・ペンダント廊下灯を赤色点滅表示させる。また、上述の呼び出し、トイレ使用（長時間使用）、送信機動作は制御機を介してナースコール親機に通報することができる。
【発明の実施の形態】
【００２０】
以下、本発明のナースコール装置を適用した好ましい形態について一実施例として図面を参照して説明する。
【００２１】
図１に示すナースコール装置は、通常、ナースセンター等に設けられるナースコール親機１と、トイレ（以下、病室トイレと称す）Ｔ1が備えられた病室等に設けられ、被介護者がナースコール親機１を呼び出すために複数のベッド子機１０に接続された呼出スイッチ１１が押下された際に白色点滅表示する代表廊下灯１２、および被介護者が病室トイレ内からナースコール親機１を呼び出すために押下操作するトイレ呼出スイッチ１３ａを備えたトイレ子機１３に接続されたトイレセンサ１４が、被介護者によるトイレの使用および予め設定された長時間使用をそれぞれ検知することにより白色点灯表示および赤色点滅表示し、更に、前述のトイレ呼出スイッチ１３ａが押下された際に白色点滅表示するトイレ廊下灯１５が接続されたルームアダプタ３と、病室外に設けられ、前述の病室トイレＴ1と同様な構成の複数のトイレＴ2a、Ｔ2b、Ｔ2cが接続されたトイレアダプタ４と、被介護者の徘徊又はペンダントを検出することにより徘徊送信機２０又はペンダント送信機２２が動作し、徘徊受信機２１又はペンダント受信機２３を介して赤色点滅表示する徘徊・ペンダント廊下灯２４が接続された徘徊・ペンダントアダプタ５と、上述の呼出時、トイレ使用（長時間使用）時、（徘徊・ペンダント）送信機動作時の各動作を、共通線Ｌ1を介してナースコール親機１に通報する制御機２とを有する。
【００２２】
上述に示す代表廊下灯１２、トイレ廊下灯１５、徘徊・ペンダント廊下灯２４はそれぞれ同一な構成であり、ルームアダプタ３に接続される代表廊下灯１２は、図２（a）、図３（ａ）の構成図に示すように、それぞれ入力部がルームアダプタ３の一方の白色出力端子RLW1に接続され、出力部が一方の共通アース端子RLE1に接続され、直線状に均等に配列された白色ＬＥＤ３０と、入力部がルームアダプタ３の一方の赤色出力端子RLR1に接続され、出力部が一方の共通アース端子RLE1に接続され、白色ＬＥＤ３０に隣接して直線状に均等に配列された赤色ＬＥＤ３１とから成る。
【００２３】
ルームアダプタ３、トイレアダプタ４に接続されるトイレ廊下灯１５は、図２（a）、（b）および図３（a）の構成図に示すように、それぞれ入力部がルームアダプタ３、トイレアダプタ４の他方の白色出力端子TLW1、TLW2に接続され、出力部がルームアダプタ３、トイレアダプタ４の他方の共通アース端子TLE1、TLE2に接続され、直線状に均等に配列された白色ＬＥＤ３０と、入力部がルームアダプタ３、トイレアダプタ４の他方の赤色出力端子TLR1、TLR2に接続され、出力部がルームアダプタ３、トイレアダプタ４の他方の共通アース端子TLE1、TLE2に接続され、白色ＬＥＤ３０に隣接して直線状に均等に配列された赤色ＬＥＤ３１とから成る。
【００２４】
徘徊・ペンダントアダプタ５に接続される徘徊・ペンダント廊下灯２４は、図２（c）、図３（a）の構成図に示すように、それぞれ入力部が徘徊・ペンダントアダプタ５の一方の白色出力端子RLW3に接続され、出力部が徘徊・ペンダントアダプタ５の一方の共通アース端子RLE3に接続され、直線状に均等に配列された白色ＬＥＤ３０と、入力部が徘徊・ペンダントアダプタ５の一方の赤色出力端子RLR3に接続され、出力部が徘徊・ペンダントアダプタ５の一方の共通アース端子RLE3に接続され、白色ＬＥＤ３０に隣接して直線状に均等に配列された赤色ＬＥＤ３１とから成る。
【００２５】
尚、上述ではルームアダプタ３に接続される代表廊下灯１２を一方の端子（白色出力端子RLW1、赤色出力端子RLR1、共通アース端子RLE1）に接続し、トイレ廊下灯１５を他方の端子（白色出力端子TLW1、赤色出力端子TLR1、共通アース端子TLE1）に接続させたが可逆接続させてもよく、トイレアダプタ４に接続されるトイレ廊下灯１５、徘徊・ペンダントアダプタ５に接続される徘徊・ペンダント廊下灯２４も同様に、一方の端子（白色出力端子RLW2、赤色出力端子RLR2、共通アース端子RLE2）、他方の端子（白色出力端子TLW3、赤色出力端子TLR3、共通アース端子TLE3）にそれぞれ接続させてもよい。
【００２６】
以下、このように構成された本発明のナースコール装置について、その動作について説明する。
【００２７】
被介護者が呼出スイッチ１１を押下しナースコール親機１を呼び出す呼出時に、ルームアダプタ３はベッド子機１０を介して呼出スイッチ１１が押下されたことを検出し、共通線Ｌ1および制御機２を介してナースコール親機１に呼び出しを通報するとともに、代表廊下灯１２を点滅駆動させるために、一方の白色出力端子RLW1より断続的にHighレベルの信号を出力することから、代表廊下灯１２を成す白色ＬＥＤ３０が、廊下灯表示面の上・下部においてそれぞれ点滅表示され全面発光する。
【００２８】
病室内の病室トイレＴ1又は病室外の複数のトイレＴ2a、Ｔ2b、Ｔ2cにおいて、被介護者がナースコール親機１を呼び出すために、トイレ子機１３に備えられたトイレ呼出スイッチ１３ａを押下することにより、ルームアダプタ３又はトイレアダプタ４は、トイレ子機１３を介してトイレ呼出スイッチ１３ａが押下されたことを検出し、共通線Ｌ1および制御機２を介してナースコール親機１に呼び出しを通報するとともに、トイレ廊下灯１５を白色点滅駆動させるために、他方の白色出力端子TLW1又はTLW2より断続的にHighレベルの信号を出力することから、トイレ廊下灯１５を成す白色ＬＥＤ３０が、廊下灯表示面の上・下部においてそれぞれ点滅表示され全面発光する。
【００２９】
また、被介護者が病室内外のトイレを使用する際に、トイレセンサ１４がトイレ使用を検知することにより、ルームアダプタ３又はトイレアダプタ４は、トイレ子機１３を介してトイレ使用を検出し、共通線Ｌ1および制御機２を介してナースコール親機１に被介護者のトイレ使用を通報するとともに、トイレ廊下灯１５を白色点灯駆動させるために、他方の白色出力端子TLW1又はTLW2よりHighレベルの信号を出力することから、トイレ廊下灯１５を成す白色ＬＥＤ３０が、廊下灯表示面上・下部において点灯表示され全面発光する。更に、前述の被介護者によるトイレ使用時間が、トイレセンサ１４により予め設定された長時間使用と検知されると、ルームアダプタ３又はトイレアダプタ４は、トイレ子機１３を介してトイレの長時間使用を検出し、共通線Ｌ1および制御機２を介してナースコール親機１に被介護者によるトイレの長時間使用の緊急事態を通報するとともに、トイレ廊下灯１５を赤色点滅駆動させるために、他方の赤色出力端子TLR1又はTLR2より断続的にHighレベルの信号を出力することから、トイレ廊下灯１５を成す赤色ＬＥＤ３１が、廊下灯表示面上・下部においてそれぞれ点滅され全面発光し、緊急事態を表示する。
【００３０】
更に、被介護者の徘徊又はペンダント検出時には、徘徊送信機２０又はペンダント送信機２２が動作することにより、徘徊・ペンダントアダプタ５は、徘徊受信機２１又はペンダント受信機２３を介して被介護者の徘徊又はペンダントを検出し、共通線Ｌ1および制御機２を介してナースコール親機１に被介護者の徘徊検出又はペンダント検出の緊急事態を通報するとともに、徘徊・ペンダント廊下灯２４を赤色点滅駆動させるために、一方の赤色出力端子RLR3より断続的にHighレベルの信号を出力することから、徘徊・ペンダント廊下灯２４を成す赤色ＬＥＤ３１が、廊下灯表示面上・下部においてそれぞれ点滅され全面発光し、緊急事態を表示する。
【００３１】
なお、上記実施例では、３種の廊下灯（代表廊下灯１２、トイレ廊下灯１５、徘徊・ペンダント廊下灯２４）を成す白色ＬＥＤ３０および赤色ＬＥＤ３１を廊下灯表示面に隣接させて直線状に均等に配列させたが、図３（ｂ）に示すように白色ＬＥＤ３０と赤色ＬＥＤ３１とを廊下灯表示面に直線状に交互に均等に配列させ、白色ＬＥＤ３０の入力部はルームアダプタ３、トイレアダプタ４、徘徊・ペンダントアダプタ５の各白色出力端子（RLW1、TLW1、TLW2、RLW3）に接続し、赤色ＬＥＤ３１の入力部は前述の各アダプタ３、４、５の赤色出力端子（RLR1、TLR1、TLR2、RLR3）に接続し、また白色ＬＥＤ３０および赤色ＬＥＤ３１の出力部は各アダプタ３、４、５の各共通アース端子（RLE1、TLE1、TLE2、RLE3）にそれぞれ接続することにより、上述した呼出時、トイレ使用（長時間使用）時、（徘徊・ペンダント）送信機動作時に、アダプタ３、４、５によって３種の廊下灯１２、１５、２４がそれぞれ白色および赤色点灯／点滅駆動され全面発光することから、上記実施例と同様な効果を奏する。
【発明の効果】
【００３２】
以上の説明から明らかなように、本発明のナースコール装置によれば、３種の廊下灯を構成する白色ＬＥＤおよび赤色ＬＥＤを、廊下灯表示面（上・下部）に直線状に均等に隣接又は交互に設けたことから、ＬＥＤ自体の影の発生を防止し、２色の全面発光（表示）を可能にするので視認性が向上する。また、３種の廊下灯を１種類に統合できることから、施工時の施工ミス、発注時の発注ミスを減少することができるとともに、メンテナンス性が向上し、商品管理上のコストを低減することが可能となる。
【図面の簡単な説明】
【００３３】
【図１】本発明によるナースコール装置の一実施例を示すシステム構成図。
【図２】図１に示す各アダプタと廊下灯との接続を示す接続構成図。
【図３】図２（図１）に示す各廊下灯の構成を示す構成図。
【図４】従来のナースコール装置を示すシステム構成図。
【図５】図４に示す各アダプタと廊下灯との接続を示す接続構成図。
【図６】図５（図４）に示す各廊下灯の構成を示す構成図。
【符号の説明】
【００３４】
１‥‥‥ナースコール親機
２‥‥‥制御機
３‥‥‥ルームアダプタ
４‥‥‥トイレアダプタ
５‥‥‥徘徊・ペンダントアダプタ
１０‥‥‥ベッド子機
１１‥‥‥呼出スイッチ
１２‥‥‥代表廊下灯
１３‥‥‥トイレ子機
１３ａ‥‥‥トイレ呼出スイッチ
１４‥‥‥トイレセンサ
１５‥‥‥トイレ廊下灯
２０‥‥‥徘徊送信機
２１‥‥‥徘徊受信機
２２‥‥‥ペンダント送信機
２３‥‥‥ペンダント受信機
２４‥‥‥徘徊・ペンダント廊下灯
３０‥‥‥白色ＬＥＤ
３１‥‥‥赤色ＬＥＤ
Ｔ2a、Ｔ2b、Ｔ2c‥‥‥トイレ
【図１】
0003595668.tif 000002
【図２】
0003595668.tif 000003
【図３】
0003595668.tif 000004
【図４】
0003595668.tif 000005
【図５】
0003595668.tif 000006
【図６】
0003595668.tif 000007